(57)【特許請求の範囲】
【請求項１】
モーアデッキの内部に形成された切断室に縦軸心周りに回転駆動される複数の回転ブレードを横方向に並列配備したモーアにおいて、
前記切断室の前方周壁のうち、隣接する前記回転ブレードの中間部位の前方に位置する箇所に下向きに開口する凹部を形成し当該凹部を塞ぐ調節板を上下に位置調節可能に設け、前記調節板の下端の地上高を調節することにより、前方周壁のうち、隣接する前記回転ブレードの中間部位の前方に位置する箇所の地上高を高さ調節可能に構成してあることを特徴とするモーア。
【請求項２】
前記モーアデッキの内方前部に回転ブレードの先端回動軌跡に沿った前部バッフルプレートを設け、この前部バッフルプレートで前記切断室の前方周壁を形成してあり、前部バッフルプレートは隣接する前記回転ブレードの一方の回転軌跡に沿う第１部分と他方の回転軌跡に沿う第２部分とを有し、前記第１部分と前記第２部分との境界部が屈曲され、当該屈曲された部分に前記凹部が形成され、前記調節板が前記第１部分に沿う部分と前記第２部分に沿う部分とを有するように屈曲されている請求項１記載のモーア。
【発明の詳細な説明】
【技術分野】
【０００１】
本発明は、主として芝刈り用に利用されるモーアに関する。
【背景技術】
【０００２】
芝刈り用のモーアとしては、天井面が扁平に形成されたフラットデッキ型のモーアデッキの内部に、縦軸心周りに回転駆動される複数の回転ブレードを並列配備するとともに、モーアデッキの内方前部に回転ブレードの先端回動軌跡に沿った形状の前部バッフルプレートを設けたものが知られている（例えば、特許文献１参照）。
【特許文献１】特開２００５−２５３３８７号公報
【発明の開示】
【発明が解決しようとする課題】
【０００３】
上記構成のモーアにおいては、モーアの前進移動に伴って草がモーアデッキ内の切断室に導入される際、草はモーアデッキの前壁と前部バッフルプレートによって前方に押し倒されながらこれらを潜ることになり、この押し倒しが強いと前部バッフルプレートを通過した草が充分に起立復帰されないで切断されることになる。そこで、従来より、前部バッフルプレートの下端の地上高を、モーアデッキ前壁の下端の地上高より少し高く設することで、前部バッフルプレートによる草の押し倒しを少なくし、前部バッフルプレートを潜り抜けてきた草が速やかに起立復帰するように考慮されている。
【０００４】
左右に隣接する回転ブレードの中間部位では回転ブレードが互いに相反する方向に移動して対向するために乱流が発生しやすく、このために草の植立が一層不安定になって切断性能が低下しがちとなって仕上がりの低下をもたらし、左右に隣接する回転ブレードの中間部位に相当する刈跡に長い草が筋状に残ることがあった。
【０００５】
本発明は、このような点に着目してなされたものであって、切断室に導入された草の起立を良好にして、刈幅全域で均一な長さでの草刈を行うことができるようにすることを目的としている。
【課題を解決するための手段】
【０００６】
第１の発明は、モーアデッキの内部に形成された切断室に縦軸心周りに回転駆動される複数の回転ブレードを横方向に並列配備したモーアにおいて、
前記切断室の前方周壁のうち、隣接する前記回転ブレードの中間部位の前方に位置する箇所に下向きに開口する凹部を形成し当該凹部を塞ぐ調節板を上下に位置調節可能に設け、前記調節板の下端の地上高を調節することにより、前方周壁のうち、隣接する前記回転ブレードの中間部位の前方に位置する箇所の地上高を高さ調節可能に構成してあることを特徴とする。
【０００７】
上記構成によると、腰の強い草を刈り取る場合に、隣接する回転ブレードの中間部位の前方に位置する箇所において、切断室の前方周壁の部分の地上高を局部的に高くすることで、この箇所を通過する草は他の部位を通過する草よりも押し倒しが少ないものとなり、この箇所を通過した草は速やかに起立復帰して回転ブレードの切断作用を受けることになる。
【０００８】
腰の弱い草を刈り取る場合、隣接する回転ブレードの中間部位の前方に位置する箇所において、切断室の前方周壁部分の地上高を局部的に低くして地面に近づけることで、この箇所における回転ブレードの回転に伴う上方へのバキューム作用を強くすることができ、切断室の前方周壁を押し倒されながら通過した柔らかい草を、強いバキューム作用で確実に起立させることができる。
【０００９】
切断室の前方周壁において、隣接する回転ブレードの中間部位の前方に位置する箇所の地上高を変更することで、この箇所を通過した草の押し倒し作用やバキューム作用を任意に加減することができ、草丈や草の腰の強さ、等に応じた適切なものに設定することができる。
【００１０】
従って、第１の発明によると、切断室の前方周壁の地上高を草の性状に合わせた適切なものにして姿勢乱れが発生し易い箇所での草の起立を良好にし、筋状の刈残しの少ない草刈りを行うことが可能となる。
【００１１】
第２の発明は、上記第１の発明において、
前記モーアデッキの内方前部に回転ブレードの先端回動軌跡に沿った前部バッフルプレートを設け、この前部バッフルプレートで前記切断室の前方周壁を形成してあり、前部バッフルプレートは隣接する前記回転ブレードの一方の回転軌跡に沿う第１部分と他方の回転軌跡に沿う第２部分とを有し、前記第１部分と前記第２部分との境界部が屈曲され、当該屈曲された部分に前記凹部が形成され、前記調節板が前記第１部分に沿う部分と前記第２部分に沿う部分とを有するように屈曲されているものである。
【００１２】
上記構成によると、回転ブレードの先端回動軌跡に沿った前部バッフルプレートで刈草を案内することで、刈草を回転ブレードで再度細断して刈り跡に放置してゆくマルチンク形態での草刈を行うことができる。この場合、切断室の前方周壁を形成する前部バッフルプレートの一部の地上高が変更調節されるので、この箇所を除く大部分の箇所での地上高を、切断室内での刈草の持ち回りを好適に行える高さに固定しておくことができ、刈草が前部バッフルプレートを潜って前方に抜け出てしまうことを抑制して、切断室内での良好な刈草の持ち回りによる細断を行うことができる。
【発明を実施するための最良の形態】
【００１３】
図１に、本発明に係るモーアＭを装着した乗用型芝刈り機の全体側面が、図２に全体平面がそれぞれ示されている。この乗用型芝刈り機は、キャスタ輪に構成された左右一対の前輪１と左右一対の駆動後輪２を備えた走行機体３における前後輪間の下方に、モーアＭが四連リンク構造のリンク機構４を介して吊り下げ支持された構造となっている。リンク機構４を油圧シリンダ５によって昇降操作することで、モーアＭを略平行に昇降できるよう構成されるとともに、走行機体３の後部にエンジン６が搭載され、その前部に運転座席７および門形の転倒保護フレーム（ＲＯＰＳ）８が配備されている。
【００１４】
詳細な構造の説明は省略するが、エンジン６の出力はカウンターケース９に入力されて走行系と作業系とに分岐され、走行系の動力はカウンターケース９の左右両側に配備された図示されない左右一対の油圧式の無段変速装置（ＨＳＴ）に入力され、その変速出力が減速ケース１０を介して左右の後輪２に伝達されるようになっている。左右の後輪２を駆動する無段変速装置は、運転座席７の左右両脇に前後揺動操作可能に配備された左右一対の走行レバー１１を各別に揺動操作することで、左右の後輪２をそれぞれ独立して無段階に前後進変速するよう構成されており、左右の走行レバー１１の操作具合によって直進前後進、ピボットターン、および、スピンターンを任意に行うことができるようになっている。カウンターケース９で分岐された作業系の動力は、ケース前面下部に突設されたＰＴＯ軸１２から前方に向けて出力されてモーアＭに軸伝達されるようになっている。
【００１５】
図３に、サイドディスチャージ仕様に構成されたモーアＭの平面が、図４にモーアＭの横断平面がそれぞれ示されている。このモーアＭは、下向きに開放されたモーアデッキ１５の内部に、縦軸心周りに回転駆動される３枚の回転ブレード１６Ｌ，１６Ｃ，１６Ｒが、中央の回転ブレード１６Ｃが少し前方に偏位するよう平面視で三角配置されて軸支された構造となっており、走行機体３が直進移動した際に、隣接する回転ブレード１６Ｌ，１６Ｃ，１６の先端回動軌跡の左右端が前後に重複して（中間部位３０Ｒ，３０Ｌ）、刈残しの無い草刈が行えるようになっている。
【００１６】
モーアデッキ１５は、天板高さが全体的に同高さに設定されたフラットデッキに構成されるとともに、モーアデッキ１５の右端部には、上方への刈草の飛散を防止する出口カバー１７を供えた排出口ｄが形成されている。
【００１７】
モーアデッキ１５の内部前側に、各回転ブレード１６Ｌ，１６Ｃ，１６Ｒにおける先端回動軌跡の前側部分に略沿って浅い波形に屈曲形成された前部バッフルプレート１８と、先端回動軌跡の後側部分に沿って深い波形に屈曲形成された後部バッフルプレート１９とが垂設配備され、各回転ブレード１６Ｌ，１６Ｃ，１６Ｒの切断室が互いに連通した左右に長い一連の切断室２８が、モーアデッキ１５に形成されている。
【００１８】
ＰＴＯ軸１２から取り出された作業用動力は、モーアデッキ１５の中央上面に配備されたベベルギヤケース２１に屈曲および伸縮自在な軸伝動機構２２を介して伝達され、ベベルギヤケース２１で縦軸回転に変換された回転動力が中央の回転ブレード１６Ｃの回転軸２３Ｃに伝達されるとともに、回転軸２３Ｃと左右の回転ブレード１６Ｌ，１６Ｒの回転軸２３Ｌ，２３Ｒとがベルト２４によって巻き掛け連動され、各回転ブレード１６Ｌ，１６Ｃ，１６Ｒにおける先端回転軌跡の前半部が排出口ｄ側に向かうように、各回転ブレード１６Ｌ，１６Ｃ，１６Ｒが同じ方向（上面視で時計回り方向）に等速で回転駆動されるようになっている。モーアデッキ１５の周囲には障害物乗り越え用の遊転輪（アンチスキャルプローラ）２５が配備されており、上方への移動融通をもってリンク機構４に吊り下げ支持されたモーアＭに地上の斜面や隆起部などに接近すると、遊転輪２５のいずれかが隆起部などに乗り上がることでモーアＭが相対的に持ち上げられて、モーアデッキ１５が直接に接触して地面を削ることが回避されるようになっている。
【００１９】
前部バッフルプレート１８が以下のように構成されている。つまり、図５に示すように、切断室２８の前方周壁を形成する前部バッフルプレート１８の下端は、モーアデッキ１５の前方周壁１５ａの下端よりもやゝ高く設定されるとともに、図６および図７に示すように、左の回転ブレード１６Ｌと中央の回転ブレード１６Ｃの中間部位３０Ｌの前方に位置する箇所、および、中央の回転ブレード１６Ｃと右の回転ブレード１６Ｒとの中間部位３０Ｒの前方に位置する箇所に、下向きの凹部２６が形成されるとともに、この凹部２６を塞ぐように調節板２７が上下に位置調節可能に装備されており、この調節板２７を上下調節することで、調節板２７の下端の地上高、つまり、前部バッフルプレート１８における凹部２６の形成箇所での地上高を変更調節できるよう構成されている。
【００２０】
サイドディスチャージ仕様のモーアＭは以上のように構成されており、各回転ブレード１６Ｌ，１６Ｃ，１６Ｒで刈り取られた刈草は、天板１５ａおよび切断室２８の前方周壁を形成する前部バッフルプレート１８に沿って図中右側に向けて飛散搬送され、排出口ｄから排出される。
【００２１】
この場合、地上に植立している草はモーアデッキ１５の前進移動に伴ってモーアデッキ１５の前方周壁１５ａ、および前部バッフルプレート１８で前方に押し倒されながら、これらの下端を通過して切断室２８に導入されることになるが、前部バッフルプレート１８の下端が全体的にモーアデッキ１５の前方周壁１５ａよりもやゝ高い位置にあるので、前部バッフルプレート１８による草の押し倒しがゆるやかなものとなり、前部バッフルプレート１８を通過した草は速やかに起立復帰し、各回転ブレード１６Ｌ，１６Ｃ，１６Ｒで確実に切断される。
【００２２】
モーアデッキ１５の前方周壁１５ａの下端位置は低いので、回転ブレード１６Ｌ，１６Ｃ，１６Ｒで生起された搬送風の前方への抜け出しが抑制され、排出口ｄからの刈草の排出能力が高く維持されるとともに、跳ね飛ばされた小石や枝が前方への飛び出すのを防止する機能も高いものとなる。
【００２３】
隣接する回転ブレード１６Ｌ，１６Ｃ，１６Ｒの中間部位３０Ｒ，３０Ｌでは、回転ブレード１６Ｌ，１６Ｃ，１６Ｒが互いに相反する方向に移動して対向すために乱流が発生しやすく、このために草の植立姿勢が不安定になって切断性能が低下しがちとなるが、隣接する回転ブレード１６Ｌ，１６Ｃ，１６Ｒの中間部位３０Ｒ，３０Ｌの前方に位置する箇所において、前部バッフルプレート１８の下端に凹部１８ａ，１８ｂを形成して地上高を高くしてあるので、この凹部１８ａ，１８ｂの形成箇所では草の押し倒しが更に少なく、前部バッフルプレート１８を通過した草は速やかに起立して切断作用を受けることになり、隣接する回転ブレード１６Ｌ，１６Ｃ，１６Ｒの中間部位３０Ｒ，３０Ｌでの刈残しの発生が抑制される。
【００２４】
図８および図９に、マルチング仕様に構成されたモーアＭの平面と横断平面がそれぞれ示されている。この場合、マルチング仕様に形成された前部バッフルプレート１８がモーアデッキ１５の天板部と後部バッフルプレート１９に取り付けられる。マルチング仕様の前部バッフルプレート１８と後部バッフルプレート１９との協働により、各回転ブレード１６Ｌ，１６Ｃ，１６Ｒの先端回転軌跡を全周に亘って囲む円形の細断室２８Ｌ，２８Ｃ，２８Ｒが各回転ブレード１６Ｌ，１６Ｃ，１６Ｒごとに区画形成される。前部バッフルプレート１８には、各切断室２８Ｌ，２８Ｃ，２８Ｒごとに、刈草をブレード回転中心側に向けて案内する刈草ガイド２９が設けられ、各回転ブレード１６Ｌ，１６Ｃ，１６Ｒが各自の切断室２８Ｌ，２８Ｃ，２８Ｒで刈草を持ち回して繰返し細断するように仕様設定される。
【００２５】
マルチング仕様においても、前部バッフルプレート１８における左の回転ブレード１６Ｌと中央の回転ブレード１６Ｃの中間部位３０Ｌの前方に位置する箇所、および、中央の回転ブレード１６Ｃと右の回転ブレード１６Ｒとの中間部位３０Ｒの前方に位置する箇所には、図６および図７に示すように、下向きの凹部２６が形成されるとともに、この凹部２６を塞ぐように調節板２７が上下に位置調節可能に装備されており、この調節板２７を上下調節することで、調節板２７の下端の地上高、つまり、前部バッフルプレート１８における凹部２６の形成箇所での地上高を変更調節できるよう構成されている。
【００２６】
上記したサイドディスチャージ仕様およびマルチング仕様での草刈り作業において、前部バッフルプレート１８における調節板２７は以下のように調節される。例えば、腰が強くて草丈の高い草を刈り取る場合、隣接する回転ブレード１６Ｌ，１６Ｃ，１６Ｒの中間部位３０Ｒ，３０Ｌでは、回転ブレード１６Ｌ，１６Ｃ，１６Ｒが互いに相反する方向に移動して対向すために乱流が発生しやすく、このために草の植立姿勢が不安定になって切断性能が低下しがちとなるが、隣接する回転ブレード１６Ｌ，１６Ｃ，１６Ｒの中間部位３０Ｒ，３０Ｌの前方に位置する箇所において、調節板２７を大きく上方に移動調節しておくことで、この凹部２６の形成箇所では草の押し倒しが更に少なく、前部バッフルプレート１８の下端を押し倒されながら通過した草は速やかに起立して切断作用を受けることになり、隣接する回転ブレード１６Ｌ，１６Ｃ，１６Ｒの中間部位３０Ｒ，３０Ｌでの刈り残しの発生が抑制される。
【００２７】
腰の弱い草を刈り取る場合、調節板２７を下方に移動調節して、隣接する回転ブレード１６Ｌ，１６Ｃ，１６Ｒの中間部位３０Ｒ，３０Ｌの前方に位置する箇所において、前部バッフルプレート１８の地上高を凹部の無い箇所の地上高に近づけることで、この箇所における回転ブレード１６Ｌ，１６Ｃ，１６Ｒの回転に伴う上方へのバキューム作用を強くすることができ、調節板２７の下端を押し倒されながら通過した柔らかい草を強いバキューム作用で確実に起立させることができる。
【００２８】
〔別実施形態〕
本発明は、以下のような形態で実施することもできる。
（１）調節板２７を、モーアデッキ１５の上方から操作されるジャッキボルト、などで上下移動調節するよう構成することも可能である。
【００２９】
（２）上記実施形態では、３枚の回転ブレード１６Ｌ，１６Ｃ，１６ＲのモーアＭを例示したが、２枚の回転ブレードのモーアＭに適用することもできる。
【図面の簡単な説明】
【００３０】
【図１】乗用型芝刈り機の全体側面図
【図２】乗用型芝刈り機の全体平面図
【図３】サイドディスチャージ仕様に構成されたモーアの平面図
【図４】サイドディスチャージ仕様に構成されたモーアの横断平面図
【図５】モーアの縦断側面図
【図６】調節板の付近の縦断側面図
【図７】調節板の付近の正面図
【図８】マルチング仕様に構成されたモーアの平面図
【図９】マルチング仕様に構成されたモーアの横断平面図
【符号の説明】
【００３１】
１５                          モーアデッキ
１６Ｌ                        回転ブレード
１６Ｃ                        回転ブレード
１６Ｒ                        回転ブレード
１８                          前部バッフルプレート
２８，２８Ｌ，２８Ｃ，２８Ｒ  切断室
３０Ｒ，３０Ｌ                中間部位                                                                                   
【図１】
0005022243.tif 000002
【図２】
0005022243.tif 000003
【図３】
0005022243.tif 000004
【図４】
0005022243.tif 000005
【図５】
0005022243.tif 000006
【図６】
0005022243.tif 000007
【図７】
0005022243.tif 000008
【図８】
0005022243.tif 000009
【図９】
0005022243.tif 000010